(57)【要約】【課題】  購入後に電源コードを電源プラグに差し込み、電源スイッチをオンした初回のモニタ立ち上げ時から、任意のチャンネルの放送を受信してモニタに表示する。【解決手段】  マイコン６０は、チャンネルプリセット前の状態で電源コードが電源プラグに接続されたとき、最小チャンネルから順番に同期信号の有無を検出することによって受信可能な１つのチャンネルを探索するチャンネル探索処理を実行して、探索したチャンネルを内部メモリ６０ａに記憶し、その後、電源スイッチがオンされると、内部メモリ６０ａに記憶しておいたチャンネルの放送を受信してモニタ９０の画面に表示した状態で、次の操作指示である自動チャンネルプリセット指示をその表示画面上に表示する。【選択図】  図１
2007006360.tif 000002
【特許請求の範囲】
【請求項１】
チャンネルプリセット機能を有するテレビジョン受像機において、
チャンネルプリセット前の状態で電源コードが電源プラグに接続されたとき、最小チャンネルから順番に同期信号の有無を検出することによって受信可能な１つのチャンネルを探索するチャンネル探索処理を実行して探索したチャンネルをメモリに記憶し、その後、電源スイッチがオンされると、前記メモリに記憶しておいたチャンネルの放送を受信してモニタ画面に表示した状態で、次の操作指示である自動チャンネルプリセット指示をその表示画面上に表示する一方、
前記チャンネル探索処理において、最小チャンネルから最大チャンネルまで探索を行っても受信可能なチャンネルが見つからなかった場合には、所定の時間間隔を置いて再度またはその後複数回、前記チャンネル探索処理を実行するとともに、電源スイッチがオンされたときに１つもチャンネルを探索できていなかった場合には、チャンネル探索処理中であることをモニタ画面に表示するとともに、アンテナ端子をアンテナプラグに接続することを促す状態の絵図をモニタ画面上に表示してアンテナの接続を促す警告を行うことを特徴とするテレビジョン受像機。
【請求項２】
チャンネルプリセット機能を有するテレビジョン受像機において、
チャンネルプリセット前の状態で電源コードが電源プラグに接続されたとき、受信可能な１つのチャンネルを探索するチャンネル探索処理を実行して探索したチャンネルをメモリに記憶し、その後、電源スイッチがオンされると、前記メモリに記憶しておいたチャンネルの放送を受信してモニタ画面に表示した状態で、次の操作指示をその表示画面上に表示することを特徴とするテレビジョン受像機。
【請求項３】
前記チャンネル探索処理は、最小チャンネルから順番に行うとともに、最小チャンネルから最大チャンネルまで探索を行っても受信可能なチャンネルが見つからなかった場合には、再度またはその後複数回、前記チャンネル探索処理を実行することを特徴とする請求項２に記載のテレビジョン受像機。
【請求項４】
前記チャンネル探索処理は、最小チャンネルから順番に行うとともに、最小チャンネルから最大チャンネルまで探索を行っても受信可能なチャンネルが見つからなかった場合には、所定の時間間隔を置いて再度またはその後複数回、前記チャンネル探索処理を実行することを特徴とする請求項２に記載のテレビジョン受像機。
【請求項５】
前記チャンネル探索処理は、同期信号の有無を判定することにより行うことを特徴とする請求項２または請求項４のいずれかに記載のテレビジョン受像機。
【請求項６】
電源コードが電源プラグに接続された後、電源スイッチがオンされるまでに１つもチャンネルを探索できなかった場合には、電源スイッチがオンされたとき、前記同期信号の有無判定に加え、自動周波数調整も行ってチャンネル探索処理を継続することを特徴とする請求項５に記載のテレビジョン受像機。
【請求項７】
電源コードが電源プラグに接続された後、電源スイッチがオンされるまでに１つもチャンネルを探索できなかった場合には、電源スイッチがオンされたとき、アンテナの接続を促す警告を前記モニタ画面に表示することを特徴とする請求項２または請求項６のいずれかに記載のテレビジョン受像機。
【請求項８】
前記警告表示は、アンテナ端子をアンテナプラグに接続することを促す状態の絵図を画面上に表示して行うことを特徴とする請求項７に記載のテレビジョン受像機。
【請求項９】
電源コードが電源プラグに接続された後、電源スイッチがオンされるまでに１つもチャンネルを探索できなかった場合には、電源スイッチがオンされたとき、チャンネル探索処理中であることを前記モニタ画面に表示することを特徴とする請求項２または請求項６のいずれかに記載のテレビジョン受像機。
【請求項１０】
前記次の操作指示が自動チャンネルプリセット指示であることを特徴とする請求項２に記載のテレビジョン受像機。
【発明の詳細な説明】
【技術分野】
【０００１】
本発明は、チャンネルプリセット機能を有するテレビジョン受像機に関し、より詳細には、チャンネルプリセット前でも、電源スイッチのオン時から任意のチャンネルの放送を視聴可能としたテレビジョン受像機に関する。
【背景技術】
【０００２】
従来のテレビジョン受像機は、購入後にまずアンテナ端子をアンテナプラグに接続し、電源コードを電源プラグに差し込んだ状態で、電源スイッチをオンする。この後、自動チャンネルプリセットを選択することで、チャンネルプリセット処理が実行され、受信可能なチャンネルがメモリに記憶されるようになっている。
【０００３】
ここで、上記の自動チャンネルプリセットに関して種々の手法が提案されている。
【０００４】
例えば、特許文献１に記載のテレビジョン受信装置は、電源スイッチオン後に端末のチャンネルを起点としてチューナの受信チャンネルを順次切り換えながら局有りまたは局無しを判断してチャンネル種別を記憶させつつ、最初に検出した局有りチャンネルを受信させるようになっている。
【０００５】
また、特許文献２に記載の地上波デジタル放送受信装置は、初回電源投入時（初回の電源スイッチのオン時）にチャンネルスキャン処理（自動チャンネルプリセット処理）を行うようになっており、このチャンネルスキャン処理では、ＣＰＵの処理により、受信可能なチャンネルにより得られた選局情報を順次メモリに記憶していくとともに、同一局が既にサーチされているときにはチューナから得られるＣ／Ｎまたはエラーレートに基づき、その優れている方を選択してメモリに記憶させるようになっている。
【０００６】
また、特許文献３に記載のデジタルテレビ受信機は、受信機の電源投入（電源スイッチのオン時）等初期設定の際に、ＣＡＴＶの各伝送チャンネルに対してスキャニング（チャンネルプリセット）を行うようになっている。
【特許文献１】特開２０００−０９２４０３号公報
【特許文献２】特開２００２−３２０１５２号公報
【特許文献３】特開２００１−１３６４４４号公報
【発明の開示】
【発明が解決しようとする課題】
【０００７】
上記従来の自動チャンネルプリセット機能は、いずれも電源スイッチのオン時（すなわち、初回のモニタ立ち上げ時）に実施されている。つまり、購入後にまずアンテナ端子をアンテナプラグに接続し、電源コードを電源プラグに差し込んだ状態で、電源スイッチをオンしてモニタを立ち上げた後に実施されている。この場合、全チャンネルのプリセットには数分程度時間がかかるが、その間、モニタには何も表示されない状態が続くことになる。
【０００８】
このような状態は、ユーザにしてみれば、電源コードを電源プラグに差し込んで、電源スイッチをオンしている（つまり、通常のテレビ操作を行っている）にも関わらず、テレビが映らないため、故障しているとの誤解を招く恐れがあった。このような誤解は、特にアメリカ市場において多く発生している。その原因は、アメリカでは、テレビジョン受像機を購入しても同梱されている取扱説明書を読む人がほとんどいないため、テレビジョン受像機を購入しても、チャンネルプリセットを行わなければテレビが映らないことを認識している人が極めて少ないことに起因している。そのため、テレビジョン受像機が故障しているわけではないにも関わらず、購入直後に返品されてくるといったケースが多発している。
【０００９】
本発明はかかる実情に鑑みて創案されたもので、その目的は、購入後に電源コードを電源プラグに差し込み、電源スイッチをオンした初回のモニタ立ち上げ時から、任意のチャンネルの放送を受信してモニタに表示することで、上記のような誤解を防止したテレビジョン受像機を提供することにある。
【課題を解決するための手段】
【００１０】
上記課題を解決するため、本発明のチャンネルプリセット機能を有するテレビジョン受像機は、チャンネルプリセット前の状態で電源コードが電源プラグに接続されたとき、受信可能な１つのチャンネルを探索するチャンネル探索処理を実行して探索したチャンネルをメモリに記憶し、その後、電源スイッチがオンされると、前記メモリに記憶しておいたチャンネルの放送を受信してモニタ画面に表示した状態で、次の操作指示をその表示画面上に表示することを特徴とする。
【００１１】
すなわち、本発明のテレビジョン受像機によれば、チャンネルプリセット前の状態で電源コードが電源プラグに接続されると、その時点から、受信可能な１つのチャンネルを探索するチャンネル探索処理を実行し、受信可能な１つのチャンネルをメモリに記憶する。そのため、次にユーザが、受像機の電源スイッチをオンすると、メモリに記憶しておいたチャンネルの放送を受信してモニタ画面に表示し、次の操作指示である自動チャンネルプリセット指示をその表示画面上に表示する。これにより、ユーザは、テレビジョン受像機がまだチャンネルプリセット前の状態であっても、正常に受信していることを確認することができる。また、このとき、自動チャンネルプリセット指示をその表示画面上に表示するので、ユーザは、その指示に従って自動チャンネルプリセット処理を実行すればよい。
【００１２】
ここで、前記チャンネル探索処理は、最小チャンネルから順番に行う。そして、最小チャンネルから最大チャンネルまで探索を行っても受信可能なチャンネルが見つからなかった場合には、必要に応じ所定の時間間隔を置いて、再度またはその後複数回、前記チャンネル探索処理を実行する。すなわち、ユーザによっては、電源コードを電源プラグに差し込んでから、アンテナ端子をアンテナプラグに差し込む場合がある。そして、この場合には、電源コードを電源プラグに差し込んでから、アンテナ端子をアンテナプラグに差し込むまでの間にチャンネル探索処理を行っても、受信可能なチャンネルを見つけることはできない。そのため、このような事態を考慮し、本発明では上記したように、最小チャンネルから最大チャンネルまで探索を行っても受信可能なチャンネルが見つからなかった場合には、必要に応じ所定の時間間隔を置いて、再度またはその後複数回、チャンネル探索処理を実行する。これにより、電源コードを電源プラグに差し込んでから、アンテナ端子をアンテナプラグに差し込んだ場合でも、受信可能な１つのチャンネルを見つけ出すことが可能となる。
【００１３】
この場合、前記チャンネル探索処理は、同期信号の有無のみを検出することにより行う。つまり、自動周波数調整（ＡＦＴ電圧による自動周波数調整）は行わず、同期信号有りと判断した時点で、その同期信号の見つかったチャンネルをメモリに記憶する。これにより、受信可能なチャンネルをいち早く見つけ出すことが可能となる。具体的には、同期信号の有無判定と自動周波数調整とを行ってチャンネルを探索していく場合に比べて、同期信号のみでチャンネルを探索していく方が、２〜５倍程度早く処理することが可能である。
【００１４】
一方、電源コードが電源プラグに接続された後、電源スイッチがオンされるまでに１つもチャンネルを探索できなかった場合には、電源スイッチがオンされたとき、前記同期信号の有無判定に加え、ＡＦＴ電圧による自動周波数調整も行ってチャンネル探索処理を継続する。つまり、チャンネ探索処理は、最小チャンネルに戻って最初からやり直すのではなく、その時点でのチャンネルから継続して行う。またこの場合、電源スイッチがオンされてモニタが立ち上がっているので、ノイズの無い良好な画像を表示するため、同期信号有りと判断した場合には、ＡＦＴ電圧による自動周波数調整も行って、良好な画像を表示するようにしている。
【００１５】
また、電源コードが電源プラグに接続された後、電源スイッチがオンされるまでに１つもチャンネルを探索できなかった場合には、電源スイッチがオンされたとき、アンテナの接続を促す警告を前記モニタ画面に表示する。これにより、ユーザは、アンテナ端子がアンテナプラグに接続されていないことを認識できるので、テレビジョン受像機が故障であるといった誤った認識を持つこともない。
【００１６】
この場合、前記警告表示は、アンテナ端子をアンテナプラグに接続することを促す状態の絵図をモニタ画面上に表示して行う。このように、アンテナ端子をアンテナプラグに接続する必要があることを、状態絵図で表示して警告することで、ユーザは、アンテナ端子の接続が必要であることを、より容易かつ明確に知ることが可能となる。
【００１７】
さらに、電源コードが電源プラグに接続された後、電源スイッチがオンされるまでに１つもチャンネルを探索できなかった場合には、電源スイッチがオンされたとき、チャンネル探索処理中であることを前記モニタ画面に表示するようにしてもよい。これにより、テレビジョン受像機のモニタ画面に任意のチャンネルの放送番組が表示されていない場合であっても、テレビジョン受像機が正常に動作中であることを確認することができる。
【発明の効果】
【００１８】
本発明のテレビジョン受像機によれば、チャンネルプリセット前の状態で電源コードが電源プラグに接続されると、その時点から、受信可能な１つのチャンネルを探索するチャンネル探索処理を実行して探索した１つのチャンネルをメモリに記憶し、次にユーザが受像機の電源スイッチをオンすると、メモリに記憶しておいたチャンネルの放送を受信してモニタ画面に表示するように構成したので、ユーザは、本テレビジョン受像機を購入後、最初に電源スイッチをオンした状態、すなわちテレビジョン受像機がまだチャンネルプリセット前の状態であっても、その時点でテレビジョン受像機が正常に動作していることをモニタ画面より確認することができる。また、このとき、自動チャンネルプリセット指示をその表示画面上に表示するので、ユーザは、その指示に従って自動チャンネルプリセット処理を実行することができる。これにより、テレビジョン受像機を購入後、最初に電源スイッチをオンしても、すぐに画面が表示されないことによって、ユーザが故障（不良品）であると誤認識してしまうといった従来の問題を確実に解決することができる。
【００１９】
また、本発明によれば、最小チャンネルから最大チャンネルまで探索を行っても受信可能なチャンネルが見つからなかった場合には、必要に応じ所定の時間間隔を置いて、再度またはその後複数回、チャンネル探索処理を実行するように構成している。これにより、電源コードが電源プラグに差し込まれてから、アンテナ端子がアンテナプラグに差し込まれたような場合でも、受信可能な１つのチャンネルを確実に見つけ出すことが可能となる。
【００２０】
さらに、チャンネル探索処理は、同期信号の有無のみを判定することによって行ってもよい。これにより、受信可能なチャンネルをいち早く見つけ出すことが可能となる。
【００２１】
さらにまた、電源コードが電源プラグに接続された後、電源スイッチがオンされるまでに１つもチャンネルを探索できなかった場合には、電源スイッチがオンされたとき、アンテナの接続を促す警告をモニタ画面に表示するように構成している。これにより、ユーザは、アンテナ端子がアンテナプラグに接続されていないことを認識できるので、テレビジョン受像機が故障であるといった誤った認識を持つこともない。この場合、前記警告表示は、アンテナ端子をアンテナプラグに接続することを促す状態の絵図をモニタ画面上に表示して行うようにしてもよい。これによりユーザは、アンテナ端子の接続が必要であることを、より容易かつ明確に知ることが可能となる。
【００２２】
さらにまた、電源コードが電源プラグに接続された後、電源スイッチがオンされるまでに１つもチャンネルを探索できなかった場合には、電源スイッチがオンされたとき、チャンネル探索処理中であることをモニタ画面に表示するように構成している。これにより、テレビジョン受像機のモニタ画面に任意のチャンネルの放送番組が表示されていない場合であっても、テレビジョン受像機が正常に動作中であることを、モニタ画面を見て確認することができる。
【発明を実施するための最良の形態】
【００２３】
以下、本発明の実施の形態について、図面を参照して説明する。
【００２４】
図１は、本実施形態に係るテレビジョン受像機の電機的構成を示す機能ブロック図である。
【００２５】
このテレビジョン受像機は、チューナ１０、ＶＩＦ回路２０、ビデオＩＣ３０、オーディオＩＣ４０、リモコン５０、マイコン６０、Ｄ／Ａコンバータ７０、ＥＥＰＲＯＭ８０からなっている。
【００２６】
チューナ１０は、Ｕ／Ｖアンテナを介して所望のチャンネル周波数に応じた信号を受信し、所要の信号だけを選択して高周波増幅して出力する。このチューナ１０は、いわゆる電圧シンセサイザ方式を採用しており、同調電圧とバンド切替電圧の入力に基づいて所望のチャンネル周波数に同調する。なお、本実施形態においては、テレビ放送電波を受信する構成としてあるが、ケーブルテレビ放送などの他の放送形態に適用してもよく、適宜変更可能である。
【００２７】
チューナ１０から出力された信号は、ＶＩＦ回路２０にて映像中間周波増幅が施されてビデオＩＣ３０に出力される。また、音声中間周波信号は、映像中間周波信号の周波数である５８．７５ＭＨｚよりも４．５ＭＨｚ低いＦＭされた信号として存在しており、増幅後の信号を図示しないダイオードで振幅検波すると４．５ＭＨｚの第２音声中間周波信号として取り出される。そして、取り出された第２音声中間周波信号は、オーディオＩＣ４０にてＦＭ検波された後に適宜増幅されて、スピーカ１００から出力される。
【００２８】
一方、ビデオＩＣ３０では、上記のようにして入力される映像中間周波増幅後の信号にて映像検波し、同期分離や色再生などの各種の信号処理を施して、映像信号としてモニタ９０に出力する。さらに、このビデオＩＣ３０には、図示しないＡＦＴ回路が備えられており、このＡＦＴ回路によって実際の映像搬送波の周波数と基準周波数とのずれに応じたＡＦＴ（誤差）電圧を発生するようになっている。このＡＦＴ電圧は、図２に示すように、正規同調点ｆ０を中心とした逆Ｓ字状の電圧特性を有している。すなわち、実際の映像搬送波の周波数と基準周波数とが一致する場合にＡＦＴ電圧はＢ電圧となる。そして、両者が僅かにずれる場合に、そのずれの方向に応じて単調増加または単調減少の傾向を示し、両者が大きくずれた場合には、Ｂ電圧の上側と下側で飽和して一定となる。従って、実際のＡＦＴ電圧を検出してＢ電圧と比較すれば、上記のずれの程度と方向が判明することになる。
【００２９】
また、本テレビジョン受像機では、リモコン５０を用いて各種の操作を実行可能となっている。このリモコン５０の操作パネル上には、図示は省略しているが、電源ボタン、チャンネルボタン、チャンネルアップ／ダウンボタン、ボリュームボタンなどが設けられており、それぞれの操作ボタンを押し下げると、対応する赤外線リモコン信号が送出される。そして、この赤外線リモコン信号を本体機側の図示しない赤外線リモコン信号受光部を介して受信し、マイコン６０が検知して対応する処理を実行するようになっている。
【００３０】
例えば、チューナ１０の受信チャンネルを指示する場合には、チャンネルボタンを押し下げるか、あるいはチャンネルアップ／ダウンボタンを押し下げる。すると、マイコン６０がこれを検知し、指示されたチャンネルを受信させるべくディジタルコード化された同調電圧データを出力する。この同調電圧データは、Ｄ／Ａコンバータ７０にてアナログの同調電圧に変換された後、チューナ１０に供給される。このとき、バンド切替電圧も同時に供給される。
【００３１】
本実施形態のチューナ１０は、電圧シンセサイザ方式を採用している。そのため、予め上記の同調電圧データをプリセットしておく必要がある。すなわち、予め「１」〜「１２」のチャンネル番号に対して所望の同調電圧データを割り当ててＥＥＰＲＯＭ８０に記憶させておく自動チャンネルプリセット処理を実行し、対応するチャンネル番号の受信指示がなされたときに、マイコン６０が該当する同調電圧データを取り出して送出する構成とする。具体的には、ＥＥＰＲＯＭ８０のメモリ空間は、図３に示すように各チャンネル番号に対応したチャンネルポジションに分割されており、チャンネルポジションごとに同調電圧データを割り当てて記憶することができるようになっている。
【００３２】
実際の割り当て作業を行うにあたっては、マイコン６０にて所定の自動チャンネルプリセット処理を実行させて記憶させるようにしている。この場合、ビデオＩＣ３０にて分離された同期信号と、ＡＦＴ電圧とをマイコン６０に取り込んでチューナ１０の選局周波数を略連続的に変化させ、同期信号が有り、かつ、ＡＦＴ電圧が最も小さくなる同調点を探索して所定のチャンネル番号に割り当てて記憶させるようにすればよい。
【００３３】
上記構成において、本実施形態では、マイコン６０は、チャンネルプリセット前の状態で電源コードが電源プラグに接続されたとき、受信可能な１つのチャンネルを探索するチャンネル探索処理を実行して探索したチャンネルの同調電圧データをマイコン６０内の内部メモリ６０ａに記憶し、その後、リモコン５０の電源ボタン（請求項に記載の電源スイッチに対応）や、図示しない機器本体の前面パネルに設けられた電源ボタン（請求項に記載の電源スイッチに対応）がオンされると、内部メモリ６０ａに記憶しておいたチャンネルの放送を受信してモニタ画面に表示した状態で、次の操作指示をその表示画面上に表示するようになっている。
【００３４】
以下、マイコン６０により、チャンネルプリセット前の状態で電源コードが電源プラグに接続されてから、電源ボタンがオンされてモニタ９０が立ち上がるまでの動作（初期動作）と、電源ボタンがオンされてモニタ９０が立ち上がってからの動作（パワーオン時の動作）とに分けて、図４及び図５に示すフローチャートを参照して具体的に説明する。
【００３５】
［初期動作の説明］
チャンネルプリセット前の状態で電源コードが電源プラグに接続されると、マイコン６０は、その時点から、受信可能な１つのチャンネルを探索するチャンネル探索処理を開始する（ステップＳ１）。
【００３６】
すなわち、まず処理回数ｎを１に設定し（ステップＳ２）、選局チャンネルを最小チャンネルに設定して（ステップＳ３）、当該チャンネルの選局を開始する（ステップＳ４）。すなわち、マイコン６０は、当該チャンネルの選局周波数をチューナ１０に設定して同期信号の有無を判定する（ステップＳ５）。その結果、同期信号有りと判断された場合（ステップＳ５でＹｅｓと判断された場合）には、その選局チャンネル（具体的には、同調電圧データ）を内部メモリ６０ａに記憶して（ステップＳ６）、初期動作の処理を終了する。すなわち、初期動作の段階では、自動チャンネルプリセット処理とは異なり、同期信号有りと判断した場合には、ＡＦＴ電圧による自動周波数調整は行わずに、当該チャンネルの同調電圧データを内部メモリ６０ａに記憶するようにしている。
【００３７】
一方、当該チャンネルの選局周波数にて同期信号無しと判断された場合（ステップＳ５でＮｏと判断された場合）には、そのチャンネルが最大チャンネルであるか否かを判断する（ステップＳ７）。その結果、最大チャンネルでない場合（ステップＳ７でＮｏと判断された場合）には、次に、選局チャンネルを隣接する次のチャンネルに設定（ステップＳ８）して、ステップＳ４に戻り、当該チャンネルの同期信号の有無判定を再び行うことになる。
【００３８】
一方、ステップＳ７において、チャンネル探索処理がすでに最大チャンネルまで行われたと判断した場合（Ｙｅｓと判断された場合）には、そのチャンネル探索処理が予め設定された所定回数（例えば、３回等）まで行われたか否かを判断し（ステップＳ９）、所定回数まで行われていない場合（ステップＳ９でＮｏと判断された場合）には、処理回数ｎをプラス１して（ステップＳ１０）、ステップＳ３に戻り、再び最小チャンネルから同期信号の有無判定を開始する。一方、このようなチャンネル探索処理が所定回数繰り返し行われた場合（ステップＳ９でＹｅｓと判断された場合）には、受信可能なチャンネルが見つからなかったものとして処理を終了する。
【００３９】
なお、上記初期動作の説明では、ステップＳ７でＹｅｓと判断されたとき、チャンネル探索処理を最小チャンネルに戻って引き続き行うように構成しているが、チャンネル探索処理を最小チャンネルから最大チャンネルまで１回終了すると、所定時間を置いてから、再度、チャンネル探索処理を実行するように構成してもよい。
【００４０】
ステップＳ９でＹｅｓと判断されるケースとしては、電源コードを電源プラグに差し込んだ後、アンテナ端子をアンテナプラグに接続しない状態で、その後に電源スイッチがオンされたような場合が考えられる。また、電源コードを電源プラグに差し込んでから、電源スイッチがオンされるまでの間が短時間である場合には、上記初期動作の処理が終了する前（すなわち、ステップＳ６で選局チャンネルが内部メモリ６０ａに記憶される前）に、電源スイッチがオンされる場合もある。次のパワーオン時の動作では、これらのケースも想定した処理動作となっている。
【００４１】
［パワーオン時の動作の説明］
電源スイッチがオンされると、マイコン６０は、内部メモリ６０ａに受信可能な１つのチャンネルが記憶されているか否かを判断する（ステップＳ２１）。その結果、１つのチャンネルが記憶されている場合（ステップＳ２１でＹｅｓと判断された場合）には、マイコン６０は、内部メモリ６０ａに記憶されているチャンネルの同調電圧データを、Ｄ／Ａコンバータ７０を介してチューナ１０に供給し、当該チャンネルの放送を受信して、モニタ９０の画面に表示する（ステップＳ２２）。このとき、マイコン６０は、次の操作指示である自動チャンネルプリセット処理の実行指示をモニタ画面上に表示して（ステップＳ２３）、ユーザに自動チャンネルプリセット処理が必要であることを通知する。
【００４２】
図６は、このときの通知画面例を示している。すなわち、放送番組が背景画像として表示されており、その上に、例えば「自動チャンネルプリセット処理が必要です。画面下の「実行」ボタンを押して下さい。」等のメッセージを表示し、画面下に「実行」ボタンを表示する。これにより、ユーザが、リモコン５０の図示しないチャンネルアップ／ダウンボタン等を操作して、画面上の「実行」ボタンを選択することにより、マイコン６０は、自動チャンネルプリセット処理を実行する。
【００４３】
一方、電源スイッチがオンされたとき、内部メモリ６０ａに受信可能なチャンネルが記憶されていないと判断した場合（ステップＳ２１でＮｏと判断した場合）には、マイコン６０は、アンテナの接続を促す警告をモニタ画面に表示する（ステップＳ２４）。これにより、ユーザは、アンテナ端子がアンテナプラグに接続されていないことを認識できるので、テレビジョン受像機が故障であるといった誤った認識を持つこともない。
【００４４】
図７は、警告表示の一例を示している。この例では、アンテナ端子１１をアンテナプラグ１２に接続することを促すメッセージとその状態の絵図とをモニタ画面上に表示している。同図（ａ）は差し込む様子を示す絵図、同図（ｂ）は差し込んだ状態を示す絵図である。これら（ａ）、（ｂ）の状態を動画的に連続して繰り返し表示することで、ユーザは、アンテナ端子１１の接続が必要であることを、容易かつ明確に知ることが可能となる。
【００４５】
一方、マイコン６０は、このような警告表示と並行して、電源スイッチがオンされた後であっても、チャンネル探索処理を継続して実行する（ステップＳ２５）。ただし、この場合のチャンネル探索処理は、電源スイッチがオンされるまでのチャンネル探索処理とは異なる。すなわち、同期信号の有無判定に加え、ＡＦＴ電圧による自動周波数調整も行って、チャンネル探索処理を継続する。また、チャンネ探索処理は、最小チャンネルに戻って最初からやり直すのではなく、その時点でのチャンネルから継続して行うようにしてもよい。この方が、受信可能なチャンネルをより早く見つけ出すことが可能となる。
【００４６】
さらに、この場合には、モニタ画面にチャンネル探索処理中であることを表示するようにしてもよい。これにより、テレビジョン受像機のモニタ画面に任意のチャンネルの放送番組が表示されていない場合であっても、テレビジョン受像機が正常に動作中であることをユーザに通知することが可能となる。
【図面の簡単な説明】
【００４７】
【図１】本発明の一実施形態に係るテレビジョン受像機の電機的構成を示す機能ブロック図である。
【図２】ＡＦＴ電圧特性を示す説明図である。
【図３】チャンネルポジションのデータ格納例を概念的に示した説明図である。
【図４】初期動作の処理手順を示すフローチャートである。
【図５】パワーオン時の動作の処理手順を示すフローチャートである。
【図６】自動チャンネルプリセット指示の通知画面例を示す説明図である。
【図７】警告表示の画面例を示す説明図である。
【符号の説明】
【００４８】
１０  チューナ
２０  ＶＩＦ回路
３０  ビデオＩＣ
４０  オーディオＩＣ
５０  リモコン
６０  マイコン
７０  Ｄ／Ａコンバータ
８０  ＥＥＰＲＯＭ
９０  モニタ
１００  スピーカ
【図１】
2007006360.tif 000003
【図２】
2007006360.tif 000004
【図３】
2007006360.tif 000005
【図４】
2007006360.tif 000006
【図５】
2007006360.tif 000007
【図６】
2007006360.tif 000008
【図７】
2007006360.tif 000009